(57)【要約】【課題】  立上り管の上部外周に台座を配設するに際し、立上り管の外周に台座を確実に同心円上に配置することができ、台座に外圧が作用しても、立上り管が位置ずれしたり、損傷することのない排水マス等における芯出し部材を提供する。【解決手段】  所要の径と厚みとを有するリング主体２を弾性体で形成するとともに、その内周部には、排水マス等を構成する立上り管の外周部と当接する複数の内側凸条部３を、その外周部には、前記内側凸条部３，３間のほぼ中央部に位置するように、台座７の内周部に当接する複数の外側凸条部４，４，４，４をそれぞれ一体的に形成して排水マス等における芯出し部材１を構成する。【選択図】      図1
2005061003.tif 000002
【特許請求の範囲】
【請求項１】
所要の径と厚みとを有するリング主体を弾性体で形成するとともに、
その内周部には、排水マスを構成する立上り管の外周部と当接する複数の内側突状部を、
その外周部には、前記内側突状部間のほぼ中央部に位置するように、台座の内周部に当接する複数の外側突状部をそれぞれ形成したこと
を特徴と排水マス等における芯出し部材。
【請求項２】
前記リング主体は、
発泡ポリエチレン製であって、前記内側突状部および外側突状部が一体成型されたものであること
を特徴とする請求項１に記載の排水マス等における芯出し部材。
【請求項３】
前記内側凸条部および外側凸条部は、
それぞれ等間隔に配設されていること
を特徴とする請求項１に記載の排水マス等における芯出し部材。
【請求項４】
前記内側凸条部は、
前記立上り管の外周部と当接する各先端面同士が仮想円を形成し、その直径が前記立上り管の外径よりも小さいこと
を特徴とする請求項１又は３に記載の排水マス等における芯出し部材。
【請求項５】
前記外側凸条部は、
前記台座の内周部と当接する各先端面同士が仮想円を形成し、その直径が前記台座の内径よりも大きいこと
を特徴とする請求項１又は３に記載の排水マス等における芯出し部材。
【発明の詳細な説明】
【技術分野】
【０００１】
この発明は、雨水や家庭内の汚水などを排出する排水マスや、道路下に埋設された下水道管の途中に設けられるマンホールなどの設置に際し、排水管や下水道管内部を点検するために設けられる立上り管と、この立上り管の外周部に配置されて点検用蓋を支持する台座とを、同心円上に確実に配置することのできる排水マス等における芯出し部材に関するものである。
【背景技術】
【０００２】
地中に埋設された排水管や下水道管に接続するマスやマンホールなど（以下、これらを総称して「排水マス等」という。）と接続する立上り管と、この立上り管の上端部近傍の外周部に配置されて点検用蓋を支持する台座とを芯合わせし、立上り管の上端開口部に装着される開閉蓋および路面と面一に配置される前記点検用蓋の開閉を円滑する手段として、たとえば、特開平１０−２０４９０５号公報（特許文献１）がある。
【０００３】
この特許文献１で提案されている下水用点検口防護蓋装置は、下端が下水管路に連通接続されるとともに、上端開口部に閉塞蓋体が開閉自在に設けられ、かつ合成樹脂にて成形された立ち上り管の上部位置に設置される下水用点検口防護蓋装置であって、前記立ち上り管の上部外周面に遊嵌される嵌合孔を開口した支持台座と、この支持台座上に支持され点検用蓋体を開閉自在に取付ける蓋受け枠体とを備え、前記支持台座の嵌合孔の内周面
に、先端が前記立ち上り管の上部外周面と間隔をもって対向される複数個の突起部を突設したものである。
【０００４】
また、実開平６−３４０８４号公報（特許文献２）においては、排水ます本体の上方受け口に立上管の下端部が接続され、この立上管の上端部側方に台座リングが設けられ、台座リング上に防護筒の下端部が載置され、防護筒の上端部にマンホール蓋が開閉可能に設けられた排水ますにおいて、台座リングの内周面と立上管の上端部の外周面との間に、一方の面から他方の面にほぼ達する心ずれ防止用突起が複数箇所において介在されている排水ますが提案されている。
【特許文献１】特開平１０−２０４９０５号公報（特許請求の範囲、図３）
【特許文献２】実開平  ６−  ３４０８４号公報（実用新案登録請求の範囲、図２、図７）
【発明の開示】
【発明が解決しようとする課題】
【０００５】
これら公知の手段のうち、特許文献１に記載の発明は、立上り管の中心と台座の中心との芯合わせが容易にできるという利点を有するものの、支持台座の嵌合孔の内周面に、先端が前記立ち上り管の上部外周面と間隔をもって対向される複数個の突起部が突設されたもので、実際の使用に際し、立ち上り管の外周面と支持台座の突起部との間隔が小さいとき、あるいは、突起部の先端が立ち上り管の外周面に接触したときには、支持台座の嵌合孔に突設した突起部を、カッターナイフなどの工具で切離すことによって、支持台座の嵌合孔が立ち上り管と接触を回避させ、以って立ち上り管に不測の圧力が作用することを防止することが必要なもので、その作業には必ず人手を煩わすことになる。
【０００６】
また、特許文献２に記載の排水ますは、台座リングの内周面と立上管の上端部の外周面との間に、一方の面から他方の面にほぼ達する心ずれ防止用突起が複数箇所において介在させるもので、その手段として図２、図４、図７に形状の異なる台座リングが開示されているが、図２および図４に示される突起では、立上管を支持するには充分でなく、位置ずれするおそれがあり、図７に示される台座リングでは、立上管が台座リングで押し潰されるおそれがある。
【０００７】
この発明はかかる現状に鑑み、立上り管の上部外周に台座を配設するに際し、立上り管の外周に台座を確実に同心円上に配置することができ、台座に外圧が作用しても、立上り管が位置ズレしたり、損傷することのない排水マス等における芯出し部材を提供せんとするものである。
【課題を解決するための手段】
【０００８】
この発明の請求項１に記載の排水マス等における芯出し部材は、
所要の径と厚みとを有するリング主体を弾性体で形成するとともに、
その内周部には、排水マスを構成する立上り管の外周部と当接する複数の内側突状部を、
その外周部には、前記内側突状部間のほぼ中央部に位置するように、台座の内周部に当接する複数の外側突状部を、
それぞれ形成したこと
を特徴とするものである。
【０００９】
また、この発明の請求項２に記載の発明は、
請求項１に記載の排水マス等における芯出し部材において、
前記リング主体は、
発泡ポリエチレン製であって、前記内側突状部および外側突状部が一体成型されたものであること
を特徴とするものである。
【００１０】
また、この発明の請求項３に記載の発明は、
請求項１に記載の排水マス等における芯出し部材において、
前記内側突状部および外側突状部は、
それぞれ等間隔に配設されていること
を特徴とするものである。
【００１１】
また、この発明の請求項４に記載の発明は、
請求項１又は３に記載の排水マス等における芯出し部材において、
前記内側突状部は、
前記立上り管の外周部と当接する各先端面同士が仮想円を形成し、その直径が前記立上り管の外径よりも小さいこと
を特徴とするものである。
【００１２】
また、この発明の請求項５に記載の発明は、
請求項１又は３に記載の排水マス等における芯出し部材において、
前記外側突状部は、
前記台座の内周部と当接する各先端面同士が仮想円を形成し、その直径が前記台座の内径よりも大きいこと
を特徴とするものである。
【発明の効果】
【００１３】
この発明の排水マス等における芯出し部材は、弾性材からなる所要の径と厚みとを有するリング主体の内周部に、排水マス等を構成する立上り管の外周部と当接する内側突状部の複数を、その外周部には前記立上り管の外周部に配設される台座の内周部と当接する外側外周の複数をそれぞれ一体的に形成したので、立上り管の外周部にリング主体を嵌め込み、ついでこのリング主体に台座を外装するというきわめて簡単かつ容易な手段で、立上り管とリング主体ならびに台座を確実に同心円上に配置することができ、また立上り管が不用意に変形することを防止して、立上り管の開口部を閉止する蓋体や、防護筒に装着される点検用蓋の開閉が円滑に行うことができるものである。
【００１４】
特に、この発明において、外側突状部を、隣接する内側突状部間の中央に位置するように形成することによって、台座になんらかの負荷が作用しても、内側突状部間に形成される凹部が、リング主体の変形の逃がし代となるので、立上り管が変形するおそれがない。
【００１５】
また、リング主体に形成する複数の内側突状部は、立上り管の外周部と当接する各内側突状部の先端部で形成される直径を、前記立上り管の外径よりも少し小さく形成し、外側突状部を、台座の内周部と当接する各外側突状部の先端部で形成される直径を、前記台座の最小内径よりも大きくすることで、一つのリング主体で複数の径の異なる台座に適用することができる。
【発明を実施するための最良の形態】
【００１６】
以下、この発明の排水マス等における芯出し部材の一例を、添付の図面に基づいて詳細に説明すると、図１はこの発明の排水マス等における芯出し部材の平面図、図２は図１における中央縦断面図、図３は立上り管への装着方法の説明図、図４は使用状態を示す一部を切欠いた拡大断面図である。
【００１７】
この発明の排水マス等における芯出し部材１は、図１乃至図２に示すように、所要の径と厚みとを有する弾性体、たとえば、発泡ポリエチレンのような合成樹脂材料でリング主体２を形成し、このリング主体２の内周部には、図３および図４に示される立上り管５の外周部５ａと当接する複数の内側突状部３（図１においては４つ）を、また、その外周部には、同じく図３および図４に示される台座７の内周部７ｂと当接する複数の外側突状部（図１においては４つ）４を、それぞれ一体的に形成したものである。
【００１８】
前記の内側突状部３は、前記立上り管５の外周部５ａと当接する各先端面３ａ同士が仮想円Ａを形成し、この仮想円Ａの直径を、前記立上り管５の外径よりも少し小さくなるように形成するもので、その数は２つ以上を等間隔で、中心を通る線上において相対することが可能なように偶数とすることがより好ましい。
【００１９】
また、外側突状部４は、前記台座７の内周部７ｂと当接する各先端面４ａ同士が仮想円Ｂを形成し、この仮想円Ｂの直径が、前記台座７の内径７ｂよりもやや大きくなるように、かつ前記隣接する内側突状部３，３間のほぼ中心部に位置するよう、換言すると内側突条部３，３間に形成される凹部３ｂのほぼ中心部に位置するように形成するものである。
【００２０】
なお、図３における立上り管５は、その下方の基端部（図示せず）が排水マス等を介して、地中に埋設される塩化ビニル樹脂管にて構成された下水管路の下水管に接続し、その上端開口部は道路面などの地表面Ｒより下方位置に開口されるものである。
【００２１】
また、台座７は、前記立上り管５の外径より大きな外径の嵌合孔７ａが形成されたもので、この嵌合孔７ａは下端に向かって縮径状に形成され、その上面側には円筒状の防護筒８が載置固定されるもので、この防護筒８は、鋳物などにて成形した点検用蓋９を開閉自在に保持する受け縁１０が上部内周部に環状に突設されている。前記防護筒８にはチェン１１によって、前記点検用蓋９が連結されている。
【００２２】
また、図中、６は立上り管５の上部開口部に装着される蓋体、Ｘは、前記立上り管５の上部近傍まで埋め戻された掘削土の表面を示す。
【００２３】
前記構成を有する芯出し部材１は、図３に示すように、掘削土の表面Ｘから鉛直に突出する立上り管５の上部外周部にリング主体２を嵌め込むもので、リング主体２の内径、具体的には内周部に突設された複数の内側突状部３の、先端面同士で形成される仮想円Ａの直径が、立上り管５の外径よりも少し小さく形成されているが、芯出し部材１は弾性体のため変形し、立上り管５に当接した状態で掘削土の表面Ｘに載置される。
【００２４】
ついで、このリング主体２を目視しながら台座７の嵌合孔７ａを立上り管５の上方から嵌め込み、リング主体２の外周部、具体的には外側突状部４の先端面４ａと前記嵌合孔７ａとが均等に当接した状態で、台座７をさらに掘削土の表面Ｘ方向に押圧すると、リング主体２の外径、すなわち、各外側突状部の先端面４ａ同士で形成される仮想円Ｂの径が、前記台座７の内径７ｂよりもやや大きくなるように形成されているので、外側突状部４
は、内側突状部３，３の中心に位置し、各外側突状部４，４・・・が立上り管５方向に押圧され変形し易いので、リング主体２の内周部に形成された内側突状部３，３・・・・が立上り管５の外周部に密着すると当時に、隣接する内側突状部３，３間に形成された凹部３ｂが立上り管５側に移動し、台座７とリング主体２が立上り管５の軸心を中心として同心円上に配置することができるものである。
【００２５】
かくして掘削土の表面Ｘ上において、立上り管５の外周部にリング主体２を使用して台座７を同心円上に配置固定が完了すると、台座７の表面に常法にしたがって防護筒８と固定し、この防護筒８に装着された点検用蓋９の表面と面一となるようにアスファルトなどを流して地表面Ｒを形成するものである。
【００２６】
なお、上記の実施の形態においては、リング主体２に形成する内側突状部３は４つとしているが、５つであってもよく、いずれの場合でも、外側突状部４は、隣接する内側突状部３，３のほぼ中央部に位置する外周部に形成されれば、所定の作用効果を奏することができる。
【００２７】
また、芯出し部材１の材質は弾性とリサイクル性により、発泡ポリエチレンが好ましいが、発泡スチロール、ウレタン発泡体であってもよい。また、リング主体２、内側突条部３および外側突条部４をそれぞれ別体とし、芯出し部材１を組合わせ形成してもよい。
【００２８】
さらに、芯出し部材１の配置は、立上り管５の台座７を外挿して仮設置したのち、立上り管５と台座７との隙間に、芯出し部材１を変形させて嵌め込み、立上り管５と台座７の軸心を合わせてもよい。
【図面の簡単な説明】
【００２９】
【図１】図１はこの発明の排水マス等における芯出し部材の平面図である。
【図２】図２は図１における中央縦断面図である。
【図３】図３は立上り管への装着方法の説明図である。
【図４】図４は使用状態を示す一部を切欠いた拡大断面図である。
【符号の説明】
【００３０】
１        芯出し部材
２        リング主体
３        内側突状部
３ａ      内側突状部の先端面
３ｂ      凹部
４        外側突状部
４ａ      外側突状部の先端面
５        立上り管
７        台座
７ａ      嵌合孔
Ａ，Ｂ    仮想円
【図１】
2005061003.tif 000003
【図２】
2005061003.tif 000004
【図３】
2005061003.tif 000005
【図４】
2005061003.tif 000006